(57)【特許請求の範囲】
【請求項１】
底面網体と前面網体と後面網体とを備え、内部に中詰材が詰められるかご枠の構築方法において、
縦網線と横網線とを格子状に溶接し、Ｌ字状に折り曲げた格子金網からなる前記前面網体と、縦網線と横網線とを格子状に溶接し、Ｌ字状に折り曲げた格子金網からなる前記後面網体とを、それぞれ水平部を内向きにして、間隔をあけて平行に配し、次いで、巻かれた編み金網を、前記前面網体と前記後面網体との間に沿って広げて前記底面網体を敷き、そして、前記前面網体および前記後面網体と前記底面網体との重ね合せ部を連結することを特徴とする、かご枠の構築方法。
【請求項２】
底面網体と前面網体と後面網体とを備え、内部に中詰材が詰められるかご枠において、
前記底面網体は、編み金網からなり、
前記前面網体は、縦網線と横網線とを格子状に溶接し、Ｌ字状に折り曲げた格子金網からなり、
前記底面網体の一方の端部と前記前面網体の水平部との重ね合せ部は、前面網体側連結手段により連結され、
前記後面網体は、縦網線と横網線とを格子状に溶接し、Ｌ字状に折り曲げた格子金網からなり、
前記底面網体の他方の端部と前記後面網体の水平部との重ね合せ部は、後面網体側連結手段により連結され、
前記前面網体側連結手段は、前記前面網体側の重ね合せ部に打ち込まれた前面網体用アンカーピンからなることを特徴とするかご枠。
【請求項３】
底面網体と前面網体と後面網体とを備え、内部に中詰材が詰められるかご枠において、
前記底面網体は、編み金網からなり、
前記前面網体は、縦網線と横網線とを格子状に溶接し、Ｌ字状に折り曲げた格子金網からなり、
前記底面網体の一方の端部と前記前面網体の水平部との重ね合せ部は、前面網体側連結手段により連結され、
前記後面網体は、縦網線と横網線とを格子状に溶接し、Ｌ字状に折り曲げた格子金網からなり、
前記底面網体の他方の端部と前記後面網体の水平部との重ね合せ部は、後面網体側連結手段により連結され、
前記後面網体側連結手段は、前記後面網体側の重ね合せ部に打ち込まれた後面網体用アンカーピンからなることを特徴とするかご枠。
【請求項４】
底面網体と前面網体と後面網体とを備え、内部に中詰材が詰められるかご枠において、
前記底面網体は、編み金網からなり、
前記前面網体は、縦網線と横網線とを格子状に溶接し、Ｌ字状に折り曲げた格子金網からなり、
前記底面網体の一方の端部と前記前面網体の水平部との重ね合せ部は、前面網体側連結手段により連結され、
前記後面網体は、縦網線と横網線とを格子状に溶接し、Ｌ字状に折り曲げた格子金網からなり、
前記底面網体の他方の端部と前記後面網体の水平部との重ね合せ部は、後面網体側連結手段により連結され、
前記前面網体側連結手段は、前記前面網体側の重ね合せ部に打ち込まれた前面網体用アンカーピンからなり、
前記後面網体側連結手段は、前記後面網体側の重ね合せ部に打ち込まれた後面網体用アンカーピンからなることを特徴とするかご枠。
【請求項５】
前記編み金網は、菱形金網、亀甲金網、織り金網またはクリンプ金網からなっていることを特徴とする、請求項２から４の何れか１つに記載のかご枠。
【発明の詳細な説明】
【技術分野】
【０００１】
この発明は、かご枠およびその構築方法、特に、幅調整が自由に行え、底面網体が地盤の浸食に対して容易に追従して変形する結果、底面網体と地盤との間に空間が生じにくく、運搬が容易で、しかも、安価なかご枠およびその構築方法に関するものである。
【背景技術】
【０００２】
堤防が堤防内に浸透した降雨や河川水によって浸食されることを防止する工法にドレーン工がある。
【０００３】
図８に示すように、ドレーン工とは、平時や洪水時に堤防２１内に浸透した降雨や河川水を集排水するためのドレーン部２２と、ドレーン部２２からの排水を受け、これを排水路に導くための堤脚水路２３とを備えたものであり、ドレーン工を堤防２１に施すことによって、堤防２１の安定性が確保される。
【０００４】
ドレーン部２２は、石を詰めたかご枠を、堤脚部分の地盤２４上に、堤防２１に沿って構築したもので構成されている。
【０００５】
かご枠の一例が特許文献に開示されている。以下、このかご枠を従来かご枠といい、図面を参照しながら説明する。
【０００６】
図９は、従来かご枠を示す斜視図、図１０は、従来かご枠を示す部分斜視図である。
【０００７】
図９、図１０に示すように、従来かご枠は、底面網体２５と前面網体２６と後面網体２７とを備えている。底面網体２５は、縦網線２５ａと横網線２５ｂとを格子状に溶接し、横網線２５ｂの先端部にフック２５ｃを形成したものから構成されている（図９参照）。前面網体２６は、底面網体２５の一方の端部上に直角に立ち上り、縦網線２６ａと横網線２６ｂとを格子状に溶接し、横網線２６ｂの下部を内側にＬ字状に折り曲げたものから構成されている（図９参照）。後面網体２７は、底面網体２５の他方の端部上に直角に立ち上り、縦網線２７ａと横網線２７ｂとを格子状に溶接し、横網線２７ｂの下部を内側にＬ字状に折り曲げたものから構成されている（図９参照）。
【０００８】
このように構成されている従来かご枠を組むには、底面網体２５の横網線２５ｂのフック２５ｃに、前面網体２６および後面網体２７の最下部の縦網線２６ａ１、２７ａ１を引っ掛けて、前面網体２６および後面網体２７を底面網体２５に取り付ける（図１０参照）。
【先行技術文献】
【特許文献】
【０００９】
【特許文献１】実用新案登録第３１６７３６３号公報
【発明の概要】
【発明が解決しようとする課題】
【００１０】
上記従来かご枠によれば、かご枠内に石を詰めることによって、排水性に優れたドレーン部２２を構築することができるが、以下のような問題があった。
【００１１】
（１）底面網体２５の横網線２５ｂのフック２５ｃに、前面網体２６および後面網体２７の最下部の縦網線２６ａ、２７ａを引っ掛け、前面網体２６および後面網体２７を底面網体２５に取り付けることにより、かご枠を組む構造であるので、かご枠の幅調整が行なえない。図９に、かご枠の幅をＷで示す。
（２）底面網体２５は、格子金網により構成され、容易に変形しにくいので、地盤２４が浸食された場合、それに追従することができず、底面網体２５と地盤２４との間に空間Ｓが生じ（図８参照）、この結果、ドレーン部２２からの排水が円滑に行えないおそれがある。
（３）底面網体２５と前面網体２６と後面網体２７とは、何れも、溶接金網により構成されているので、コスト高となる。
【００１２】
従って、この発明の目的は、幅調整が自由に行え、底面網体が地盤の浸食に対して容易に追従して変形する結果、底面網体と地盤との間に空間が生じにくく、運搬が容易で、しかも、安価なかご枠を提供することにある。
【課題を解決するための手段】
【００１３】
この発明は、上記目的を達成するためになされたものであり、下記を特徴とする。
【００１４】
請求項１に記載の発明は、底面網体と前面網体と後面網体とを備え、内部に中詰材が詰められるかご枠の構築方法において、縦網線と横網線とを格子状に溶接し、Ｌ字状に折り曲げた格子金網からなる前記前面網体と、縦網線と横網線とを格子状に溶接し、Ｌ字状に折り曲げた格子金網からなる前記後面網体とを、それぞれ水平部を内向きにして、間隔をあけて平行に配し、次いで、巻かれた編み金網を、前記前面網体と前記後面網体との間に沿って広げて前記底面網体を敷き、そして、前記前面網体および前記後面網体と前記底面網体との重ね合せ部を連結することに特徴を有するものである。
【００１５】
請求項２に記載の発明は、底面網体と前面網体と後面網体とを備え、内部に中詰材が詰められるかご枠において、前記底面網体は、編み金網からなり、前記前面網体は、縦網線と横網線とを格子状に溶接し、Ｌ字状に折り曲げた格子金網からなり、前記底面網体の一方の端部と前記前面網体の水平部との重ね合せ部は、前面網体側連結手段により連結され、前記後面網体は、縦網線と横網線とを格子状に溶接し、Ｌ字状に折り曲げた格子金網からなり、前記底面網体の他方の端部と前記後面網体の水平部との重ね合せ部は、後面網体側連結手段により連結され、前記前面網体側連結手段は、前記前面網体側の重ね合せ部に打ち込まれた前面網体用アンカーピンからなることに特徴を有するものである。
【００１６】
請求項３に記載の発明は、底面網体と前面網体と後面網体とを備え、内部に中詰材が詰められるかご枠において、前記底面網体は、編み金網からなり、前記前面網体は、縦網線と横網線とを格子状に溶接し、Ｌ字状に折り曲げた格子金網からなり、前記底面網体の一方の端部と前記前面網体の水平部との重ね合せ部は、前面網体側連結手段により連結され、前記後面網体は、縦網線と横網線とを格子状に溶接し、Ｌ字状に折り曲げた格子金網からなり、前記底面網体の他方の端部と前記後面網体の水平部との重ね合せ部は、後面網体側連結手段により連結され、前記後面網体側連結手段は、前記後面網体側の重ね合せ部に打ち込まれた後面網体用アンカーピンからなることに特徴を有するものである。
【００１７】
請求項４に記載の発明は、底面網体と前面網体と後面網体とを備え、内部に中詰材が詰められるかご枠において、前記底面網体は、編み金網からなり、前記前面網体は、縦網線と横網線とを格子状に溶接し、Ｌ字状に折り曲げた格子金網からなり、前記底面網体の一方の端部と前記前面網体の水平部との重ね合せ部は、前面網体側連結手段により連結され、前記後面網体は、縦網線と横網線とを格子状に溶接し、Ｌ字状に折り曲げた格子金網からなり、前記底面網体の他方の端部と前記後面網体の水平部との重ね合せ部は、後面網体側連結手段により連結され、前記前面網体側連結手段は、前記前面網体側の重ね合せ部に打ち込まれた前面網体用アンカーピンからなり、前記後面網体側連結手段は、前記後面網体側の重ね合せ部に打ち込まれた後面網体用アンカーピンからなることに特徴を有するものである。
【００２４】
請求項５に記載の発明は、請求項２から４の何れか１つに記載の発明において、前記編み金網は、菱形金網、亀甲金網、織り金網またはクリンプ金網からなっていることに特徴を有するものである。
【発明の効果】
【００２５】
この発明によれば、底面網体を菱形金網等の編み金網により構成し、前面網体および後面網体をＬ字状に折り曲げた格子金網により構成し、底面網体の端部と前面網体および後面網体の水平部とを重ね合せて連結することによって、かご枠の幅調整が自由に行える。
【００２６】
また、この発明によれば、底面網体を菱形金網等の編み金網により構成することによって、底面網体が地盤の浸食に対して容易に追従して変形する結果、底面網体と地盤との間に空間が生じにくい。従って、地盤が浸食されたとしても、ドレーン部からの排水が円滑に行える。
【００２７】
また、この発明によれば、底面網体を菱形金網等の編み金網により構成することによって、運搬が容易に行え、また、前面網体および後面網体をＬ字状に折り曲げた格子金網により構成することにより、積み重ねができるので、この点からも運搬が容易に行える。
【００２８】
また、この発明によれば、底面網体を菱形金網等の編み金網により構成することによって、底面網体と前面網体と後面網体とを格子金網により構成する場合に比べて、安価になる。
【図面の簡単な説明】
【００２９】
【図１】この発明のかご枠の組み立て前の状態を示す斜視図である。
【図２】前面網体と後面網体との間に沿って底面網体を敷いた状態を示す平面図である。
【図３】底面網体と前面網体および後面網体との連結構造を示す正面図である。
【図４】底面網体と前面網体および後面網体との別の連結構造を示す正面図である。
【図５】図４のＡ部拡大図である。
【図６】底面網体と前面網体および後面網体とのさらに別の連結構造を示す正面図である。
【図７】底面網体と前面網体および後面網体とのさらに別の連結構造を示す正面図である。
【図８】ドレーン工が施された堤防を示す断面図である。
【図９】従来かご枠を示す斜視図である。
【図１０】従来かご枠を示す部分斜視図である。
【発明を実施するための形態】
【００３０】
この発明のかご枠の一実施態様を、図面を参照しながら説明する。
【００３１】
図１は、この発明のかご枠の組み立て前の状態を示す斜視図である。
【００３２】
図１において、１は、底面網体であり、編み金網である菱形金網からなっている。底面網体１は、菱形金網以外に、亀甲金網、織り金網、クリンプ金網等の編み金網であってもよい。２は、前面網体であり、縦網線２ａと横網線２ｂとを格子状に溶接し、Ｌ字状に折り曲げた格子金網からなっている。３は、後面網体であり、縦網線３ａと横網線３ｂとを格子状に溶接し、Ｌ字状に折り曲げた格子金網からなっている。
【００３３】
底面網体１を編み金網により構成することによって、底面網体１が地盤の浸食に対して容易に追従して変形する結果、底面網体１と地盤との間に空間Ｓ（図８参照）を生じにくくすることができる。この結果、地盤が浸食されたとしても、ドレーン部２２（図８参照）からの排水が円滑に行える。
【００３４】
４は、前面網体側連結手段としての前面網体側連結棒である。前面網体側連結棒４は、両端部にフック４ａ、４ｂが形成され、一方のフック４ａを、前面網体２側の重ね合せ部における縦網線２ａと底面網体１とに引っ掛け、他方のフック４ｂを、前面網体２の垂直部における縦網線２ａに引っ掛けることによって、前面網体２側の重ね合せ部と前面網体２の垂直部との間を連結する（図３参照）。
【００３５】
５は、後面網体側連結手段としての後面網体側連結棒である。後面網体側連結棒５は、両端部にフック５ａ、５ｂが形成され、一方のフック５ａを、後面網体３側の重ね合せ部における縦網線３ａと底面網体１とに引っ掛け、他方のフック５ｂを、後面網体３の垂直部における縦網線３ａに引っ掛けることによって、後面網体３側の重ね合せ部と後面網体３の垂直部との間を連結する（図３参照）。
【００３６】
このように、この発明のかご枠は、編み金網からなる底面網体１とＬ字状の格子金網からなる前面網体２および後面網体３とを備え、前面網体２および後面網体３の水平部と底面網体１の端部とを重ね合せ、この重ね合せ部と前面網体２および後面網体３の垂直部との間を、前面網体側連結棒４と後面網体側連結棒５とにより、前面網体２および後面網体３が外側に倒れることなく連結したものから構成されている。
【００３７】
次に、この発明のかご枠の組み立て法について、図面を参照しながら説明する。
【００３８】
なお、底面網体を構成する編み金網として菱形金網を使用するが、他の編み金網であってもよい。
【００３９】
図２は、前面網体および後面網体の水平部上に、底面網体を乗せた状態を示す平面図である。先ず、図１に示すように、かご枠の構築場所に前面網体２と後面網体３とを、それぞれ水平部を内向きにして、間隔をあけて平行に配す。
【００４０】
次に、図２に示すように、巻かれた菱形金網を前面網体２と後面網体３との間に沿って広げて底面網体１を敷く。
【００４１】
そして、図３に示すように、前面網体側連結棒４によって、前面網体２側の重ね合せ部と前面網体２の垂直部との間を連結し、後面網体側連結棒５によって、後面網体３側の重ね合せ部と後面網体３の垂直部との間を連結する。
【００４２】
このようにして、この発明のかご枠が組み立てられる。
【００４３】
この発明のかご枠によれば、前面網体側連結棒４により、前面網体２と底面網体１とが連結され、後面網体側連結棒５により、後面網体３と底面網体１とが連結されるので、かご枠内に石等の中詰材を詰めても前面網体２および後面網体３が変形するおそれはない。
【００４４】
かご枠の幅Ｗ（図３参照）調整を行うには、底面網体１と前面網体２および後面網体３との重ね合せ部の長さを調整すればよい。
【００４５】
図４に示す、別の連結構造により、この発明のかご枠を組み立てるには、前面網体２側の横網線２ｂの先端部を、前面網体２側の重ね合せ部における縦網線２ａと底面網体１とに巻き付けて、前面網体２と底面網体１とを連結し（図５参照）、後面網体３側の横網線３ｂの先端部を、後面網体３側の重ね合せ部における縦網線３ａと底面網体１とに巻き付けて、後面網体３と底面網体１とを連結する。
【００４６】
図６に示す、さらに別の連結構造により、この発明のかご枠を組み立てるには、前面網体２側の重ね合せ部に重ね合せ部を縫うように前面網体用連結コイル６をねじ込んで、前面網体２と底面網体１とを連結し、後面網体３側の重ね合せ部に重ね合せ部を縫うように後面網体用連結コイル７をねじ込んで、後面網体３と底面網体１とを連結する。なお、図６に示す例では、前面網体用連結コイル６を重ね合せ部の幅方向にねじ込んでいるが、長手方向にねじ込んでもよい。
【００４７】
図７に示す、さらに別の連結構造により、この発明のかご枠を組み立てるには、前面網体２側の重ね合せ部に前面網体用アンカーピン８を打ち込んで、前面網体２と底面網体１とを連結し、後面網体３側の重ね合せ部に後面網体用アンカーピン９を打ち込んで、後面網体３と底面網体１とを連結する。
【００４８】
上述した図４から図７に示す連結構造におけるかご枠の幅調整は、図３に示す場合と同様に、底面網体１と前面網体２および後面網体３との重ね合せ部の長さを調整すればよい。
【００４９】
以上、説明したように、この発明によれば、底面網体１を菱形金網等の編み金網により構成し、前面網体２および後面網体３をＬ字状に折り曲げた格子金網により構成し、底面網体１の端部と前面網体２および後面網体３の水平部とを重ね合せて連結することによって、かご枠の幅調整が自由に行える。
【００５０】
また、この発明によれば、底面網体１を菱形金網等の編み金網により構成することによって、底面網体１が地盤の浸食に対して容易に追従して変形する結果、底面網体１と地盤との間に空間Ｓが生じにくい。従って、地盤が浸食されたとしても、ドレーン部２２からの排水が円滑に行える。
【００５１】
また、この発明によれば、底面網体１を菱形金網等の編み金網により構成することによって、運搬が容易に行え、また、前面網体２および後面網体３をＬ字状に折り曲げた格子金網により構成することにより、積み重ねができるので、この点からも運搬が容易に行える。
【００５２】
また、この発明によれば、底面網体１を菱形金網等の編み金網により構成することによって、底面網体１と前面網体２と後面網体３とを格子金網により構成する場合に比べて、安価になる。
【符号の説明】
【００５３】
１：底面網体
２：前面網体
２ａ：縦網線
２ｂ：横網線
３：後面網体
３ａ：縦網線
３ｂ：横網線
４：前面網体側連結棒
４ａ：一方のフック
４ｂ：他方のフック
５：後面網体側連結棒
５ａ：一方のフック
５ｂ：他方のフック
６：前面網体側連結コイル
７：後面網体側連結コイル
８：前面網体側アンカーピン
９：後面網体側アンカーピン
２１：堤防
２２：ドレーン部
２３：堤脚水路
２４：地盤
２５：底面網体
２５ａ：縦網線
２５ｂ：横網線
２６：前面網体
２６ａ：縦網線
２６ａ１：最下部の縦網線
２６ｂ：横網線
２７：後面網体
２７ａ：縦網線
２７ａ１：最下部の縦網線
２７ｂ：横網線
【図１】
0006660805.tif 000002
【図２】
0006660805.tif 000003
【図３】
0006660805.tif 000004
【図４】
0006660805.tif 000005
【図５】
0006660805.tif 000006
【図６】
0006660805.tif 000007
【図７】
0006660805.tif 000008
【図８】
0006660805.tif 000009
【図９】
0006660805.tif 000010
【図１０】
0006660805.tif 000011